(57)【特許請求の範囲】
【請求項１】
画像担持体に静電潜像を書込む走査型書込み手段と前記画像担持体上の前記静電潜像をトナー像として顕像化する現像手段とを有する画像形成手段と、前記トナー像を中間転写体に転写する転写手段と、を備えた画像形成装置において、
前記中間転写体の走行方向に対して直交方向（以下、主走査方向という）における基準位置からの前記中間転写体の変動量を前記中間転写体上における所定のサンプリングポイントで検出する変動量検出手段と、
前記変動量検出手段によって検出された変動量を表す変動量データに基づいて、前記書込み手段による主走査方向における書込みの開始位置を表す開始位置データを補正する開始位置データ補正手段と、
前記所定のサンプリングポイントのうち隣接するサンプリングポイントにおける変動量データの変化量が所定値より大きい場合に、前記所定のサンプリングポイントを変更するサンプリングポイント変更手段と、を備えることを特徴とする画像形成装置。
【請求項２】
前記サンプリングポイント変更手段は、前記変動量検出手段の検出周期を所定としたまま、検出が開始されるサンプリングポイントを変更することを特徴とする請求項１に記載の画像形成装置。
【請求項３】
前記サンプリングポイント変更手段は、前記変動量検出手段の検出周期を短くすることを特徴とする請求項１に記載の画像形成装置。
【請求項４】
前記サンプリングポイント変更手段は、前記所定のサンプリングポイントのうち隣接するサンプリングポイントにおける変動量データの変化量が所定値より大きい区間のみ前記変動量検出手段の検出周期を短くすることを特徴とする請求項１に記載の画像形成装置。
【請求項５】
前記開始位置データ補正手段は、前記変動量検出手段によって検出された変動量を表す変動量データに基づいて、前記書込み手段の走査ビームによって同期信号が生成されてから画素クロックが生成されるまでのオフセット値（時間）を変更することを特徴とする請求項１乃至請求項４の何れかに記載の画像形成装置。
【請求項６】
前記変動量検出手段によって検出された変動量を表す変動量データに基づいて、前記変動量検出手段によって検出されたサンプリングポイント以外の前記中間転写体上の位置における変動量データを算出する変動量データ算出手段を備え、
前記開始位置データ補正手段は、前記変動量検出手段によって検出された変動量を表す変動量データと、前記変動量データ算出手段によって算出されて得られた変動量データとに基づいて、前記開始位置データを補正することを特徴とする請求項１乃至請求項５の何れかに記載の画像形成装置。
【請求項７】
前記変動量データ算出手段は、前記書込み手段が書込む全てのラインに対応する前記中間転写体上の位置のうち、前記変動量検出手段によって検出されたサンプリングポイント以外の前記中間転写体上の位置における変動量データを算出することを特徴とする請求項６に記載の画像形成装置。
【請求項８】
前記変動量検出手段は、前記画像形成装置の電源投入時、又は、画像形成装置の経時変化に関する条件が成立した場合に、前記変動量を検出することを特徴とする請求項１乃至請求項７の何れかに記載の画像形成装置。
【請求項９】
前記画像形成手段が複数設けられ、
前記複数の画像形成手段はそれぞれ、前記変動量検出手段を有することを特徴とする請求項１乃至請求項８の何れかに記載の画像形成装置。
【請求項１０】
前記画像形成手段が前記中間転写体の移動面に対向して複数配置され、
前記複数の画像形成手段はそれぞれ、１つの前記画像担持体と、１つの前記書込み手段と、複数の前記現像手段と、前記複数の現像手段から１つの現像手段を選択する選択手段と、を有することを特徴とする請求項１乃至請求項８の何れかに記載の画像形成装置。
【請求項１１】
前記複数の画像形成手段はそれぞれ、前記中間転写体の移動面に対向して配置され、１つの前記画像担持体と、１つの前記書込み手段と、複数の前記現像手段と、前記複数の現像手段から１つの現像手段を選択する選択手段と、を有することを特徴とする請求項９に記載の画像形成装置。
【発明の詳細な説明】
【技術分野】
【０００１】
本発明は、走査型書込み手段により画像担持体に静電潜像を書込み、静電潜像をトナーで現像することによりトナー像を形成し、トナー像を中間転写体に転写することにより重ね画像を形成する画像形成装置に関し、特に、中間転写体の走行時に走行方向に対する直交方向の変動が生じた場合に、画像の曲がり及びずれを抑えて画像品質の劣化を防止する画像形成装置に関する。
【背景技術】
【０００２】
従来の画像形成装置としては、中間転写ベルトのベルト移動方向と直行する方向のベルト位置を検出するベルト位置検出手段を備え、ベルト位置検出手段により検出されたベルト位置に基づいて、調整ローラの傾きを制御することにより、中間転写ベルトのベルト寄りを制御するものが知られている（例えば、特許文献１参照）。
【０００３】
また、その他のものとして、センサがオフセットベルトの寄りを検知し、その結果に基づいてアクチュエータが作動することによりトラッキングローラの一端の位置が変化して、トラッキングローラに支持されるオフセットベルトと駆動ローラとが接触を開始する位置が変わり、オフセットベルトの寄りを矯正する像形成物質除去装置が知られている（例えば、特許文献２参照）。
【特許文献１】特開２００２−２８７５２７号公報
【特許文献２】特開平８−１３７３５１号公報
【発明の開示】
【発明が解決しようとする課題】
【０００４】
しかしながら、特許文献１に記載された画像形成装置においては、ベルト寄りを制御したとしても、中間転写ベルトには微小変位が生じるため、この微小変位による画像の曲がり及びずれを抑えて画像品質の劣化を防止することについては改善の余地がある。
【０００５】
また、特許文献２に記載された像形成物質除去装置においては、この技術を中間転写ベルトに適用したとしても、特許文献１に記載された画像形成装置と同様に、オフセットベルトには微小変位が生じるため、この微小変位による画像の曲がり及びずれを抑えて画像品質の劣化を防止することについては改善の余地がある。
【０００６】
本発明は、上述の事情に鑑みてなされたもので、より精度良く画像の曲がり及びずれを抑えて画像品質の劣化を防止することができる画像形成装置を提供することを目的とする。
【課題を解決するための手段】
【０００７】
本発明の画像形成装置は、画像担持体に静電潜像を書込む走査型書込み手段と前記画像担持体上の前記静電潜像をトナー像として顕像化する現像手段とを有する画像形成手段と、前記トナー像を中間転写体に転写する転写手段と、を備えた画像形成装置において、前記中間転写体の走行方向に対して直交方向（以下、主走査方向という）における基準位置からの前記中間転写体の変動量を前記中間転写体上における所定のサンプリングポイントで検出する変動量検出手段と、前記変動量検出手段によって検出された変動量を表す変動量データに基づいて、前記書込み手段による主走査方向における書込みの開始位置を表す開始位置データを補正する開始位置データ補正手段と、前記所定のサンプリングポイントのうち隣接するサンプリングポイントにおける変動量データの変化量が所定値より大きい場合に、前記所定のサンプリングポイントを変更するサンプリングポイント変更手段と、を備える構成を有している。
【０００８】
この構成により、所定のサンプリングポイントのうち隣接するサンプリングポイントにおける変動量データの変化量が所定値より大きい場合に、その所定のサンプリングポイントを変更するため、主走査方向における基準位置からの中間転写体の変動量を細かく検出でき、より精度良く画像の曲がり及びずれを抑えて、画像品質の劣化を防止することができる。
【０００９】
また、本発明の画像形成装置におけるサンプリングポイント変更手段は、前記変動量検出手段の検出周期を所定としたまま、検出が開始されるサンプリングポイントを変更する構成を有している。
【００１０】
この構成により、検出開始位置を変更することによりサンプリングポイントを変更するため、開始位置データの補正を容易に精度良く行うことができる。
【００１１】
また、本発明の画像形成装置におけるサンプリングポイント変更手段は、前記変動量検出手段の検出周期を短くする構成を有している。
【００１２】
この構成により、周期を短くすることによりサンプリングポイントを変更するため、開始位置データの補正を容易に精度良く行うことができる。
【００１３】
また、本発明の画像形成装置におけるサンプリングポイント変更手段は、前記所定のサンプリングポイントのうち隣接するサンプリングポイントにおける変動量データの変化量が所定値より大きい区間のみ前記変動量検出手段の検出周期を短くする構成を有している。
【００１４】
この構成により、必要な区間のみ周期を短くすることによりサンプリングポイントを変更するため、変動量データを必要以上に増やすことなく、開始位置データの補正を容易に精度良く行うことができる。
【００１５】
また、本発明の画像形成装置における前記開始位置データ補正手段は、前記変動量検出手段によって検出された変動量を表す変動量データに基づいて、前記書込み手段の走査ビームによって同期信号が生成されてから画素クロックが生成されるまでのオフセット値（時間）を変更する構成を有している。
【００１６】
この構成により、同期信号が生成されてから画素クロックが生成されるまでのオフセット値を変更するだけで書込みタイミングを制御できるため、簡単な制御で、画像ずれ量を細かく低減することができる。
【００１７】
また、本発明の画像形成装置は、前記変動量検出手段によって検出された変動量を表す変動量データに基づいて、前記変動量検出手段によって検出されたサンプリングポイント以外の前記中間転写体上の位置における変動量データを算出する変動量データ算出手段を備え、前記開始位置データ補正手段は、前記変動量検出手段によって検出された変動量を表す変動量データと、前記変動量データ算出手段によって算出されて得られた変動量データとに基づいて、前記開始位置データを補正する構成を有している。
【００１８】
この構成により、検出された変動量を表す変動量データに基づいて、サンプリングポイント以外の中間転写体上の位置における変動量データを算出するため、サンプリングポイントにおける変動量データのデータ量が少ない場合であっても、開始位置データの補正を容易に精度良く行うことができる。
【００１９】
また、本発明の画像形成装置における前記変動量データ算出手段は、前記書込み手段が書込む全てのラインに対応する前記中間転写体の位置のうち、前記変動量検出手段によって検出されたサンプリングポイント以外の前記中間転写体上の位置における変動量データを算出する構成を有している。
【００２０】
この構成により、全てのラインに対応する中間転写体上の位置における変動量データが得られるため、開始位置データの補正を容易に精度良く行うことができる。
【００２１】
また、本発明の画像形成装置における前記変動量検出手段は、前記画像形成装置の電源投入時、又は、画像形成装置の経時変化に関する条件が成立した場合に、前記変動量を検出する構成を有している。
【００２２】
この構成により、経時変化の影響を受けることなく、より精度良く画像の曲がり及びずれを抑えて、画像品質の劣化を防止することができる。
【００２３】
また、本発明の画像形成装置は、前記画像形成手段が複数設けられ、前記複数の画像形成手段はそれぞれ、前記変動量検出手段を有する構成を有している。
【００２４】
この構成により、より正確に画像のずれを抑えることができる。
【００２５】
また、本発明の画像形成装置は、前記画像形成手段が前記中間転写体の移動面に対向して複数配置され、前記複数の画像形成手段はそれぞれ、１つの前記画像担持体と、１つの前記書込み手段と、複数の前記現像手段と、前記複数の現像手段から１つの現像手段を選択する選択手段と、を有する構成である。
【００２６】
この構成により、小型で高速な画像形成装置を構築することができる。
【００２７】
また、本発明の画像形成装置は、前記複数の画像形成手段はそれぞれ、前記中間転写体の移動面に対向して配置され、１つの前記画像担持体と、１つの前記書込み手段と、複数の前記現像手段と、前記複数の現像手段から１つの現像手段を選択する選択手段と、を有する構成である。
【００２８】
この構成により、小型で高速な画像形成装置を構築することができる。
【発明の効果】
【００４３】
以上のように本発明は、より精度良く画像の曲がり及びずれを抑えて画像品質の劣化を防止することができる画像形成装置を提供するものである。
【発明を実施するための最良の形態】
【００４４】
以下、本発明の実施形態に係る画像形成装置について、図面を参照して説明する。
【００４５】
（第１の実施形態）
図１は、本発明の第１の実施形態に係る画像形成装置を示す基本構成図である。本実施形態では、走査型書込み手段により画像担持体に画像を形成し、その画像を中間転写体上に転写する工程を色毎に複数回繰り返し、その画像を色毎に順次重ね合わせてカラー画像を形成する画像形成装置を例として説明する。
【００４６】
まず、構成を説明する。
【００４７】
図１に示すように、被走査体である画像担持体１の周囲には、帯電手段２、書込み手段３、現像手段４、転写手段５、及びクリーニング手段６が配置されている。また、画像担持体１の上方には、ベルト等の形態の中間転写体（以下、ベルトともいう）７が配置されており、この中間転写体７は、画像形成開始の基準位置を示すベルトマークを有している。また、中間転写体７の下方には、中間転写体７の走行方向に対して直交方向（以下、主走査方向ともいう）における基準位置からのベルト変動量を検出する変動量検出手段８が配置されている。
【００４８】
次に、動作の概略を説明する。
【００４９】
図１に示す矢印の向きに回転する画像担持体１は、帯電手段２によりその表面が帯電される。中間転写体７のベルトマークが検出されると、書込み手段３が画像データに基づく露光を開始し、画像担持体１に潜像が形成される。この潜像は、現像手段４によりトナー像として顕像化され、中間転写体７との接点において転写手段５により中間転写体７に転写される。そして、転写後の画像担持体１は、クリーニング手段６により転写残トナーがクリーニングされる。
【００５０】
ここで、カラー（複数色）画像を形成する場合、図示しない選択手段で現像手段を選択する等により、異なる色での現像の上記工程を必要な色の回数分繰り返し、中間転写体７に各色の画像を重ね合わせる。そして、中間転写体７に重ね合わされた画像は、図示しない別の転写手段により紙等の記録媒体に転写され、定着されて装置外に排出される。
【００５１】
ここで、各色の画像形成は、書込み手段３の同期信号を基準に開始されるが、ベルト７が蛇行したり、あるいは、片寄りが生じてしまう等により位置変動を発生すると、画像にずれ又は曲がりが生じる。
【００５２】
本発明の第１の実施形態に係る画像形成装置は、上述の画像にずれ又は曲がりが生じることによる画像品質の劣化を防ぐために、ベルト７の主走査方向における基準位置からのベルト変動（蛇行、片寄り）量を求め、このベルト変動量に基づいて書込み手段３の画像形成タイミングを図示しない制御部により制御するものである。以下、図２〜４を参照して詳細に説明する。
【００５３】
図２は、ある一定周期でベルト２周分のベルト変動量を求めたグラフである。また、図３は、サンプリング信号の生成タイミングを示すタイミングチャートである。また、図４（ａ）は、サンプリング位置ｍ及びｎにおけるベルト変動を示す図であり、図４（ｂ）は、書込み開始タイミングを示す図である。
【００５４】
図２に示すように、ベルト７の１周における変動を２周目においても繰り返していることがわかる。ここで、図２において、横軸がサンプリング数（ベルト変動量の検出個所）であり、縦軸がベルト変動量である。従って、ベルト１周分のベルト変動量データ（プロファイル）を求め、このベルト変動量データを用いて主走査方向における書込み手段３による書込みの開始位置を表す開始位置データを補正すればよいことになる。
【００５５】
具体的には、装置の電源が投入されると、定着装置等のウォームアップの最中に、制御部がベルト７を駆動し、変動量検出手段８が予め設定された周期でベルト７の主走査方向における基準位置からのベルト変動量を検出する。
【００５６】
変動量検出手段８は、例えば、ベルト７に設けられたベルトマークを基準として、図３（１）に示すようにサンプリング信号Ｓ０（周期ｔ０）でベルト変動量を検出（サンプリング）するようになっている。そして、図示しない記憶部が、変動量検出手段８によって検出されたベルト変動量をベルト変動量データとして記憶するようになっている。
【００５７】
そして、図２のａの部分に示すように、記憶部に記憶されているベルト変動量データの中で隣接するサンプリングポイントにおけるベルト変動量データの変化量が予め設定した値よりも大きい場合に、変動量検出手段８がサンプリング信号Ｓ０で求めたサンプリングポイントとは異なるベルト７上のベルト位置におけるベルト変動量を検出し、記憶部がそのベルト変動量をベルト変動量データとして既存のベルト変動量データに追加する。
【００５８】
例えば、図３の（２）、（３）に示すように、図示しない信号生成部がベルトマーク信号からのオフセット時間をｏｆ１、ｏｆ２のように変化させたサンプリング信号Ｓ１、Ｓ２を生成して、変動量検出手段８がベルト変動量をサンプリングするようになっている。
【００５９】
なお、図３の（４）、（５）に示すように、信号生成部がサンプリング周期をあらかじめ設定した周期ｔ０の１／２、１／３等としたサンプリング信号Ｓ３、Ｓ４を生成して、変動量検出手段８がベルト変動量をサンプリングするようになっていてもよい。
【００６０】
また、図３の（６）に示すように、信号生成部が必要な区間のみサンプリング周期を短くしたサンプリング信号Ｓ５を生成して、変動量検出手段８がベルト変動量をサンプリングするようになっていてもよい。
【００６１】
例えば、図２のａの部分に示すように、ベルト変動量が大きく変化する個所が、サンプリング信号Ｓ５のサンプリング期間Ｐａ及びＰｂに該当する場合、その期間のサンプリング数を多くする。ここで、図３の（６）は、該当期間のみサンプリング周期を１／３にしてベルト変動量を検出する場合を示している。
【００６２】
なお、上述のオフセット時間を変化すること、周期ｔ０を１／２、１／３等とすること、及び必要な区間のみサンプリング周期を短くすることを組合わせて、変動量検出手段８がベルト変動量をサンプリングするようになっていてもよい。
【００６３】
上述のようにして求めたベルト変動量データを用いて、主走査方向における書込み手段３による書込みの開始位置を表す開始位置データを補正する。開始位置データの補正は、ベルト７の変動を打ち消すように主走査の画像有効域信号（ＬＧａｔｅ信号）の発生タイミングを変化させることにより行う。
【００６４】
その一例を図４に示す。ここではベルト変動量をベルト端面から求める場合について示している。
【００６５】
制御部は、ベルトマーク検出時（最初のサンプリングポイント）のベルト端面位置を基準位置として制御する。具体的には、制御部は、図４（ａ）に示すように、ベルト端面位置が、（１）の基準位置に対して、（２）のサンプリング位置ｍでベルト中央方向にｄｍ変位し、又は、（３）のサンプリング位置ｎでベルト端面方向にｄｎ変位していた場合、図４（ｂ）に示すように、サンプリング位置ｍの主走査方向における書込み開始タイミングを距離ｄｍに相当する時間ｔｍ遅らせ、サンプリング位置ｎの主走査方向における書込み開始タイミングを距離ｄｎに相当する時間ｔｎ早めるよう制御する。この結果、ベルト７上に転写された画像の主走査方向における書込み開始位置を合わせることができる。
【００６６】
ここで、主走査の画像有効域信号（ＬＧａｔｅ信号）の発生タイミングについて詳細に説明する。
【００６７】
図５は、同期信号及び画素クロックの生成タイミングを示すタイミングチャートである。
【００６８】
図５に示すように、図示しない同期センサが書込み手段３による走査ビームを受光することで生成される同期検出信号は、設定された基準値ｔｈに達すると、装置内の各種制御信号生成の基本クロックの元となる原クロックｃｌｋ０（周期ｔｇ）でラッチされる。詳細には、同期検出信号が基準値ｔｈを横切ると直後の原クロックｃｌｋ０の立ち上がりエッジでラッチされる。これが図５の（３）同期信号であって、本実施形態では、同期検出信号が基準値ｔｈより大きくなると同期信号がＨとなり、基準値ｔｈより小さくなると同期信号がＬとなる。
【００６９】
同期信号が生成されると、同期信号の立ち上がりエッジから原クロックｃｌｋ０を予め設定された所定数ｋカウントし、同期信号の立ち上がりエッジから初期位相差（時間差ｔｉ）を有した、書込み手段３の基本クロックである一定周期（周期ｔｗ）の画素クロックｃｌｋｗが生成される。
【００７０】
ここで図示していないが、主走査の画像有効域を示すＬｇａｔｅ信号は同期信号生成後の画素クロックｃｌｋｗを所定数ｊカウントして生成される。
【００７１】
従って、この場合同期信号が生成されてからＬｇａｔｅ信号が生成されるまでの時間ｔｌ０は以下の式（１）で表される。
（数１）
ｔｌ０＝ｔｉ＋ｊ＊ｔｗ＝ｋ＊ｔｇ＋ｊ＊ｔｗ          （１）
なお、図５においては、同期信号パルス幅と画素クロック周期とを大差なく示しているが、これは説明を容易にするためであり、実際は同期信号パルス幅が十分に大きい。
【００７２】
本実施形態では、同期信号が生成されてから画素クロックｃｌｋｗが生成されるまでの時間（オフセット値）を変更することにより、ベルト７の変動を打ち消すようにＬＧａｔｅ信号の発生タイミングを変化させる。
【００７３】
具体的には、ベルト基準位置（ベルトマーク検出時）における画素クロックを図５の（４）ｃｌｋｗ（初期位相差ｔｉ）としたとき、ベルト基準位置におけるベルト変動量と各サンプリングポイントにおけるベルト変動量との差に基づいて、同期信号の立ち上がりエッジからカウントする原クロックｃｌｋ０のカウント値を変更設定し、例えば、図５の（５）、（６）に点線で示したように画素クロックｃｌｋｗと初期位相差の異なる補正画素クロックｃｌｋｗ１、ｃｌｋｗ２が生成されるようにする。
【００７４】
ここで、図４に示すサンプリング位置ｍにおけるベルト変位ｄｍを補正する場合、原クロックのカウント値をｋｍとして、カウント値ｋｍは、以下の式（２）を最も満足するような整数に設定する。
（数２）
ｋｍ＊ｔｇ−ｋ＊ｔｇ＝ｔｍ          （２）
また、図４に示すサンプリング位置ｎにおけるベルト変位ｄｎを補正する場合には、原クロックのカウント値をｋｎとして、カウント値ｋｎは、以下の式（３）を最も満足するような整数に設定する。
（数３）
ｋ＊ｔｇ−ｋｎ＊ｔｇ＝ｔｎ          （３）
原クロックｃｌｋ０のカウント値を上述のように変更設定することにより、画素クロックの同期信号に対する初期位相差を図５の（５）、（６）における点線に示すように変化させる。
【００７５】
ここで、初期位相差の変化幅（ｃｌｋｗ１とｃｌｋｗ２との初期位相差の差）ｔａｄが以下の式（４）を満足するようなカウント値ｓの可変幅を設けるようになっている。
（数４）
ｔａｄ＝ｓ＊ｔｇ≦ｔｗ          （４）
また、ｔｗより大きい初期位相差を要する場合、Ｌｇａｔｅ信号が生成されるまでの画素クロックｃｌｋｗのカウント数ｊを変化させるようにすればよい。
【００７６】
以上のように本発明の第１の実施形態に係る画像形成装置によれば、一定周期のサンプリングポイントのうち隣接するサンプリングポイントにおけるベルト変動量データの変化量が予め設定した値より大きい場合に、サンプリングポイントを変更するため、主走査方向における基準位置からのベルト７のベルト変動量を細かく検出でき、より精度良く画像の曲がり及びずれを抑えて、画像品質の劣化を防止することができる。
【００７７】
また、ベルトマーク信号からのオフセット時間を変化させたサンプリング信号を生成することによりサンプリングポイントを変更するため、開始位置データの補正を容易に精度良く行うことができる。また、サンプリング周期を短くすることによりサンプリングポイントを変更するため、開始位置データの補正を容易に精度良く行うことができる。また、必要な区間のみサンプリング周期を短くすることによりサンプリングポイントを変更するため、ベルト変動量データを必要以上に増やすことなく、開始位置データの補正を容易に精度良く行うことができる。
【００７８】
さらに、同期信号が生成されてから画素クロックｃｌｋｗが生成されるまでの時間を変更するだけで書込みタイミングを制御できるため、簡単な制御で、画像ずれ量を細かく低減することができる。
【００７９】
なお、上述のようにベルト端面からベルト変動量を求める場合、変動量検出手段８を２つ用いてその差分を求める等により、ベルト端面形状が開始位置データの補正に影響を与えないようにしてもよい。また、ベルト変動量は、上述の方法以外にベルト７に設けた検出用マークからベルト変動量を求めるようになっていてもよい。
【００８０】
また、近年の画像形成装置の高密度化が進む中、ベルト変動量を画素密度に相当する密度で検出し、記憶保持することは実用的でない。そこで、制御部がサンプリングポイント以外のベルト位置のベルト変動量を、注目するベルト位置の最寄のベルト変動量データから求めるようになっていてもよい。すなわち、注目するベルト位置の最寄（前後）のベルト変動量データが直線的に変位していると想定し、制御部が注目するベルト位置のベルト変動量を算出して、開始位置データを補正するようになっている。
【００８１】
先に述べたように、記憶部に記憶されているベルト変動量データの中で隣接するサンプリングポイントにおけるベルト変動量データの変化量が予め設定した値よりも大きい場合、その変化量が予め設定した値以下となるまで、サンプリングポイント間隔を小さくしてベルト変動量を求めるため、サンプリングポイント間のベルト変動量を直線的に近似する。
【００８２】
図６は、隣接したサンプリングポイントの間に位置する任意のベルト位置のベルト変動量の算出を説明するための図である。
【００８３】
サンプリングポイントｎからサンプリングポイントｎ＋１の変位量Δｎが、予め設定した変位差Δｄ０以下の場合、図６に示すように、サンプリングポイントｎからサンプリングポイントｎ＋１までを直線で結んだ線上を、サンプリングポイントｎからサンプリングポイントｎ＋１までの間の任意のベルト位置のベルト変動量とする。従って、ベルト位置ｘにおけるベルト変動量はｄｘとして求められ、これを用いて開始位置データを補正することができる。
【００８４】
また、隣接したサンプリングポイントｎとサンプリングｎ＋１間の変位量Δｎが、予め設定した変位差Δｄ０より大きい場合には、ΔｎがΔｄ０以下となるようにサンプリングポイントを増やしていく。そして、ΔｎがΔｄ０以下となった時点で、上述のようにベルト変動量を求め、そのベルト変動量を用いて開始位置データを補正する。
【００８５】
ここで、予め設定した変位差Δｄ０は、サンプリング周期、画像密度、画像プリントスピード等を考慮して適切な値に設定する。また、変動量検出手段８によって検出された、又は上述のように近似して求めた変動量から算出された、任意のベルト位置におけるベルト変動量は、次のサンプリングポイント又は上述のように近似して求めたベルト位置における書込みまで継続して用いられる。
【００８６】
このような構成にすることにより、検出されたベルト変動量を表すベルト変動量データに基づいて、サンプリングポイント以外のベルト７におけるベルト変動量データを算出するため、サンプリングポイントにおけるベルト変動量データのデータ量が少ない場合であっても、開始位置データの補正を容易に精度良く行うことができる。
【００８７】
また、ベルト変動量に対して厳密に開始位置データの補正を行うには、理想的には毎ライン（走査）補正できればよい。近年の画像形成装置の高速化が進む中、リアルタイムでベルト変動量を毎ライン検出し、そのベルト変動量から開始位置データの補正を一走査期間中に行うことは、変動量検出手段８としてリニアイメージセンサ等の画素数が多いセンサを用いた場合等は困難である。そこで、予め検出したベルト変動量及びベルト変動量から近似して求めた予測変動量から、ライン（走査）毎に開始位置データを補正するよう制御する。
【００８８】
ここで、予測変動量は、予め求めたベルト変動量データを用いて、上述したように直線近似することで得ることができる。また、開始位置データの補正は、ライン書込み終了後、次のラインの同期検出信号が発生するまでに、図示しない画素クロック設定部に開始位置データを設定して行う。
【００８９】
このような構成にすることにより、全てのラインに対応するベルト７の位置におけるベルト変動量データが得られるため、開始位置データの補正を容易に精度良く行うことができる。
【００９０】
また、図３に示したように、ベルト７は、ベルト１周における変動を繰り返す。ベルト変動が繰り返されるならリアルタイムで検出する必要はなく、予め画像形成前に検出しておけばよい。そして、ベルト変動量を一度検出してベルト変動量データとして保持しておけば、開始位置データを算出することができる。
【００９１】
そこで、装置に電源が投入された後、定着装置等のウォームアップ中に、制御部がベルト７を駆動し、変動量検出手段８がベルト変動量を検出して、記憶部がベルト変動量をベルト変動量データとして記憶するようにする。
【００９２】
しかし、長期的には、画像形成装置内の温湿度変化、室温変化、画像形成時の負荷の作用等でベルト変動量が変化していく。
【００９３】
例えば、ベルト７が全体的にゆっくりとどちらか一方（ベルト端面方向）に偏ったり（図２の場合上下方向のどちらかに変動波形がシフトする）、変動波形が変わったりすることがある。従って、装置の電源投入時だけではなく、予め設定した条件を満足したときに、変動量検出手段８が再度ベルト変動量を検出、記憶部が検出されたベルト変動量をベルト変動量データとして記憶して、ベルト変動量データを更新するようにする。
【００９４】
なお、本実施形態では、ベルト変動量を再度検出する条件を、予め設定したプリント枚数に達した場合、電源投入からの経過時間が所定時間となった場合、変動量検出時の温湿度から温湿度変化が所定の範囲を外れた場合とする。
【００９５】
このような構成にすることにより、経時変化の影響を受けることなく、より精度良く画像の曲がり及びずれを抑えて、画像品質の劣化を防止することができる。
【００９６】
また、本実施形態に係る画像形成装置は、２ステーション構成となっていてもよい。図７は、２ステーションの画像形成装置を示す概略構成図である。ここで、図１と同様の構成要素には同一の符号を付する。
【００９７】
図７に示すように、画像形成装置は、中間転写体７の下方に２つの画像形成手段（ステーション１、ステーション２）を有している。各々の画像形成手段は、１つの画像担持体１と、１つの書込み手段３と、この画像担持体１上に書込み手段３により形成される静電潜像を現像する２つの現像手段４と、現像手段４を択一的に選択して駆動する図示しない選択手段とから構成され、複数の画像形成手段によって形成される画像を中間転写体７上で重ね合わせることで複数色の画像を生成するようになっている。なお、画像形成手段はそれぞれ、現像手段４を３つ以上有するようになっていてもよい。
【００９８】
ステーション１に対応した変動量検出手段８がベルト変動量を検出するベルト位置（ポイント）をサンプリング位置Ａ、ステーション２に対応した変動量検出手段８がベルト変動量を検出するベルト位置（ポイント）をサンプリング位置Ｂとすると、サンプリング位置Ａで検出したベルト変動（波形）は、ベルト７がサンプリング位置Ａからサンプリング位置Ｂまで移動するのに要する時間経過後にサンプリング位置Ｂでほぼ同じに検出される。
【００９９】
しかし、これは理想的にベルト７が駆動された場合で、実際にはベルト速度ムラの影響により、サンプリングポイント間の移動時間遅らせても、全く同じになるわけではない。
【０１００】
そこで、図７に示すように、変動量検出手段８を各画像形成手段（ステーション１、ステーション２）に対応して設ける。
【０１０１】
このような構成にすることにより、より正確に画像のずれを抑えることができる。また、小型で高速な画像形成装置を構築することができる。
【０１０２】
（第２の実施形態）
本実施形態では、変動量検出手段８、制御部、及び記憶部による動作に特徴があるため、特にその部分について説明し、第１の実施形態と同様の構成には同一番号を付して、その構成の説明を省略する。以下、本実施形態の特徴部分について詳細に説明する。
【０１０３】
装置の電源が投入されると、定着装置等のウォームアップの最中に、制御部がベルト７を駆動し、所定時間経過後に、変動量検出手段８が予め設定された周期でベルト７の主走査方向における基準位置からのベルト変動量を検出する。
【０１０４】
なお、所定時間経過後に変動量検出手段８がベルト変動量を検出するのは、ベルト７起動時に、ベルト７が全体的に片側にシフト（オフセット変位）する場合等の影響をなくすためである。
【０１０５】
また、ベルト変動の仕方やベルト変動量は、検出個所によって異なるため、変動量検出手段８は、できる限り画像担持体１上の画像が転写されるベルト転写位置近傍で、かつ、ベルト転写位置に対してベルト移動方向上流側でベルト変動量を検出するのが望ましい。
【０１０６】
変動量検出手段８は、例えば、ベルト７に設けられたベルトマークを基準として、図３（１）に示すように、サンプリング信号Ｓ０（周期ｔ０）でベルト変動量を検出（サンプリング）する。そして、記憶部が、変動量検出手段８によって検出されたベルト変動量を変動量データとして記憶する。なお、ベルト変動量はライン単位で大きく変動するものではないので、変動量検出手段８によるサンプリングは毎ライン（走査）行わなくてもよい。
【０１０７】
図８は、ある一定周期でベルト２周分のベルト変動量を求めたグラフである。また、図９は、図８に示したベルト変動量のベルト１周分を拡大したグラフである。図８、９において、横軸がサンプリング数（ベルト上の変動量検出個所）であり、縦軸がベルト変動量である。
【０１０８】
図９のａ部及びｂ部に示すように、ベルト変動量がほぼ直線的に変位しているとみなせる個所がある。図９において、ベルト変動量の変動幅は最大でおよそ１００μｍであり、また、直線とみなした部分において、変動量検出手段８によって検出されたベルト変動量と、直線上のベルト変動量との差は最大でも１０μｍ程度である。ここで、ベルト変動量がほぼ直線的に変位しているとみなせるか否かは、例えば、制御部が、直線とみなそうとする部分において、変動量検出手段８によって検出されたベルト変動量と、直線上のベルト変動量との差の最大値が、予め設定された値以下であるか否かによって判断する。そして、予め設定された値以下であると判断された場合に、ベルト変動量がほぼ直線的に変位しているとみなせることとする。
【０１０９】
ａ部については、ベルト変動量がほぼ直線的に変位しているとみなせるので、直線の開始ポイントの変位ａ０、終了ポイントの変位ａ１を直線Ａで結び、制御部は、ａ部における変動量データのうち変位ａ０、ａ１以外の変動量データを記憶部から消去して、直線Ａからベルト変動量を算出する。ｂ部についても同様に、制御部は、ｂ部における変動量データのうち変位ｂ０、ｂ１以外の変動量データを記憶部から消去して、ｂ０、ｂ１を結んだ直線Ｂからベルト変動量を算出する。
【０１１０】
ここで、ある隣接したサンプリングポイントの間に位置する任意のベルト位置のベルト変動量の算出方法を図１０を参照して説明する。サンプリングポイントＰｎとＰ（ｎ＋１）の基準位置に対するベルト変動量がそれぞれｄｎ、ｄ（ｎ＋１）で、その関係が図１０（ａ）に示すようになっているとすると、ｄｎとｄ（ｎ＋１）とを図のように直線で結び、サンプリングポイントＰｎとＰ（ｎ＋１）間の任意のベルト位置におけるベルト変動量がその直線上にあるものとして求める。
【０１１１】
例えば、変動量検出手段８によるサンプリングを１００ライン毎に行った場合、ＰｎとＰ（ｎ＋１）との間に存在する９９のラインの任意のベルト位置（走査ラインに相当）ｘにおけるベルト変動量ｄｘをそれぞれ以下の式（５）を用いて求める。
（数５）
ｄｘ＝ｄｎ＋（ｄ（ｎ＋１）−ｄｎ）＊ｘ／１００  ：ｘ＝１〜９９      （５）
制御部は、記憶部に記憶されているベルト変動量データと、上述の式（５）によって求められたベルト変動量を表すベルト変動量データとを用いて書込み手段３の開始位置を表す開始位置データを補正する。ここで、開始位置データの補正は、ベルト７の変動を打ち消すように主走査の画像有効域信号（ＬＧａｔｅ信号）の発生タイミングを変化させることにより行う。
【０１１２】
その一例を図４に示す。ここではベルト変動量をベルト端面から求める場合について示している。
【０１１３】
制御部は、ベルトマーク検出時（最初のサンプリングポイント）のベルト端面位置を基準位置として制御する。具体的には、制御部は、図４（ａ）に示すように、ベルト端面位置が、（１）の基準位置に対して、（２）のサンプリング位置ｍでベルト中央方向にｄｍ変位し、又は、（３）のサンプリング位置ｎでベルト端面方向にｄｎ変位していた場合、図４（ｂ）に示すように、サンプリング位置ｍの主走査方向における書込み開始タイミングを距離ｄｍに相当する時間ｔｍ遅らせ、サンプリング位置ｎの主走査方向における書込み開始タイミングを距離ｄｎに相当する時間ｔｎ早めるよう制御する。この結果、ベルト７上に転写された画像の主走査方向における書込み開始位置を合わせることができる。
【０１１４】
ここで、主走査の画像有効域信号（ＬＧａｔｅ信号）の発生タイミングについて詳細に説明する。
【０１１５】
図１１は、同期信号及び画素クロックの生成タイミングを示すタイミングチャートである。
【０１１６】
図１１に示すように、図示しない同期センサが書込み手段３による走査ビームを受光することで生成される同期検出信号は、設定された基準値ｔｈに達すると、装置内の各種制御信号生成の基本クロックの元となる原クロックｃｌｋ０（周期ｔｇ）でラッチされる。詳細には、同期検出信号が基準値ｔｈを横切ると直後の原クロックｃｌｋ０の立ち上がりエッジでラッチされる。これが図１１の（３）同期信号であって、本実施形態では、同期検出信号が基準値ｔｈより大きくなると同期信号がＨとなり、基準値ｔｈより小さくなると同期信号がＬとなる。
【０１１７】
同期信号が生成されると、同期信号の立ち上がりエッジから原クロックｃｌｋ０を予め設定された所定数ｋカウントし、同期信号の立ち上がりエッジから初期位相差（時間差ｔｉ）を有した、書込み手段３の基本クロックである一定周期（周期ｔｗ）の画素クロックｃｌｋｗが生成される。
【０１１８】
ここで図示していないが、主走査の画像有効域を示すＬｇａｔｅ信号は同期信号生成後の画素クロックｃｌｋｗを所定数ｊカウントして生成される。
【０１１９】
従って、この場合同期信号が生成されてからＬｇａｔｅ信号が生成されるまでの時間ｔｌ０は以下の式（６）で表される。
（数６）
ｔｌ０＝ｔｉ＋ｊ＊ｔｗ＝ｋ＊ｔｇ＋ｊ＊ｔｗ          （６）
なお、図１１においては、同期信号パルス幅と画素クロック周期とを大差なく示しているが、これは説明を容易にするためであり、実際は同期信号パルス幅が十分に大きい。
【０１２０】
本実施形態では、同期信号が生成されてから画素クロックｃｌｋｗが生成されるまでの時間（オフセット値）を変更することにより、ベルト７の変動を打ち消すようにＬＧａｔｅ信号の発生タイミングを変化させる。
【０１２１】
具体的には、ベルト基準位置（ベルトマーク検出時）における画素クロックを図１１の（４）ｃｌｋｗ（初期位相差ｔｉ）としたとき、ベルト基準位置におけるベルト変動量と各サンプリングポイントにおけるベルト変動量との差に基づいて、同期信号の立ち上がりエッジからカウントする原クロックｃｌｋ０のカウント値を変更設定し、例えば、図１１の（５）、（６）に点線で示したように画素クロックｃｌｋｗと初期位相差の異なる補正画素クロックｃｌｋｗ１、ｃｌｋｗ２が生成されるようにする。
【０１２２】
ここで、図４に示すサンプリング位置ｍにおけるベルト変位ｄｍを補正する場合、原クロックのカウント値をｋｍとして、カウント値ｋｍは、以下の式（７）を最も満足するような整数に設定する。
（数７）
ｋｍ＊ｔｇ−ｋ＊ｔｇ＝ｔｍ          （７）
また、図４に示すサンプリング位置ｎにおけるベルト変位ｄｎを補正する場合には、原クロックのカウント値をｋｎとして、カウント値ｋｎは、以下の式（８）を最も満足するような整数に設定する。
（数８）
ｋ＊ｔｇ−ｋｎ＊ｔｇ＝ｔｎ          （８）
原クロックｃｌｋ０のカウント値を上述のように変更設定することにより、画素クロックの同期信号に対する初期位相差を図１１の（５）、（６）における点線に示すように変化させる。
【０１２３】
ここで、初期位相差を決定するカウント値ｋは、以下の式（９）を満足するような可変幅を設けるようになっている。
（数９）
ｋ＊ｔｇ≦ｔｗ          （９）
また、ｔｗより大きい初期位相差を要する場合、Ｌｇａｔｅ信号が生成されるまでの画素クロックｃｌｋｗのカウント数ｊを変化させるようにすればよい。
【０１２４】
以上のように本発明の第２の実施形態に係る画像形成装置によれば、図９に示すａ部又ｂ部における変動量データのうち直線の開始ポイント及び終了ポイント以外のサンプリングポイントにおける変動量データを消去し、直線の開始ポイント及び終了ポイントにおける変動量データに基づいて、直線の開始ポイントと終了ポイントの間の位置におけるベルト変動量データを直線近似により算出するため、データ保持容量を大きくすることなく、より精度良く画像の曲がり及びずれを抑えて、画像品質の劣化を防止することができる。
【０１２５】
さらに、同期信号が生成されてから画素クロックｃｌｋｗが生成されるまでの時間を変更するだけで書込みタイミングを制御できるため、簡単な制御で、画像ずれ量を細かく低減することができる。
【０１２６】
また、図３の（１）に示すサンプリング周期ｔ０が短い場合には、各サンプリングポイント間の任意のポイントのベルト変動量は図１０（ａ）に示したように直線から求めても、実際のベルト変動量と大きく異なることは少ないと考えられる。しかし、サンプリング周期ｔ０が長い場合には、図１０（ｂ）の点線に示すようにベルト変動量が直線上に乗らない可能性が高い。また、図９に丸印で囲ったｃ部、ｄ部のように、隣接するサンプリングポイントにおけるベルト変動量が大きく異なる個所においても直線近似によってベルト変動量を求めることはできない。
【０１２７】
そこで、サンプリング周期ｔ０が長い場合や、前述のｃ部、ｄ部のような個所においてはサンプリングポイントを増やす。ここで、ｃ部を拡大したものを、図１２に示す。
【０１２８】
図９に示すように、ベルト変動量をほぼ直線とみなしたａ部、ｂ部において、サンプリングポイント間を結んだそれぞれの直線の傾きに大きな変化は無いが、図１２に示すように、ｃ部において、サンプリングポイント間を結んだそれぞれの直線の傾きは大きく異なる。
【０１２９】
特に、点線の丸印で囲った部分は各サンプリングポイントを結んだ隣り合う直線の傾きが大きく変化し、変動グラフの頂点付近では鋭角になり、直線近似を行うと誤差が大きくなり不都合であると予想できる。
【０１３０】
このような個所ではサンプリングポイントを多く取るようにする。具体的には、サンプリングポイントを増やしたい個所のみ、図３の（６）のサンプリング信号Ｓ５のＰａ、Ｐｂのようにサンプリング周期が短くなるような信号を生成して、変動量検出手段８がベルト変動量を検出する。そして、記憶部は、変動量検出手段８によって検出されたベルト変動量を表すベルト変動量データを記憶部に追加記憶する。
【０１３１】
ここで、サンプリングポイントを多く取るか否かは、制御部が、例えば、隣り合うサンプリングポイントにおけるベルト変動量の差が予め設定された値以上であるか否かによって判断する。そして、予め設定された値以上であると判断された場合に、サンプリングポイントを多く取ることとする。
【０１３２】
これにより、直線近似を行うと誤差が大きくなる個所においてベルト変動量を多く検出するため、開始位置データの補正を容易に精度良く行うことができる。
【０１３３】
また、装置の電源投入時だけではなく、予め設定した条件を満足したときに、変動量検出手段８が再度ベルト変動量を検出し、記憶部が検出されたベルト変動量をベルト変動量データとして記憶して、ベルト変動量データを更新するようにしてもよい。
【０１３４】
なお、本実施形態では、ベルト変動量を再度検出する条件を、予め設定したプリント枚数に達した場合、電源投入からの経過時間が所定時間となった場合、変動量検出時の温湿度から温湿度変化が所定の範囲を外れた場合とする。
【０１３５】
このような構成にすることにより、経時変化の影響を受けることなく、より精度良く画像の曲がり及びずれを抑えて、画像品質の劣化を防止することができる。
【０１３６】
また、変動量検出手段を近接して２つ設け、これらの変動量検出手段が検出したベルト変動量の差分からベルト変動量を求めるようにしてもよい。
【０１３７】
図１３に示すように、ベルト端面に凸凹がある場合について説明する。なお、図１３は、ベルト上面からの平面図であり、グレー部分がベルト７を示し、太線がベルト端面を示す。また、ベルト７は細い矢印（紙面下方）の方向に回転移動するものとする。
【０１３８】
図１３の（ａ）に示すように、変動量検出手段が１つの場合、この変動量検出手段が時刻ｔ０で検出したベルト７のポイントｘの基準位置からの変位をｄ０とする。また、変動量検出手段が予め定めたサンプリング時間経過後の時刻ｔ１で検出したベルト７のポイントｙの基準位置からの変位はｄ１とする。
【０１３９】
ベルト７がサンプリング時間の間にポイントｘからポイントｙまで移動したとき、ベルト７の移動（回転）に伴う変動（蛇行）がない場合でも、図１３の（ａ）に示すようにベルト端面に凸凹があるとｄ０≠ｄ１となって、ベルト７が変動したという結果になってしまう。
【０１４０】
図１３の（ｂ）に示すように、変動量検出手段が２つの場合、変動量検出手段Ｓ１が時刻ｔ０で検出したベルト７のポイントｘの基準位置からの変位をｄ０とする。また、変動量検出手段Ｓ１に近接して設けられた近接変動量検出手段Ｓ２が時刻ｔ０で検出したベルト７のポイントｙの基準からの変位をｄ１とする。
【０１４１】
ここで、変動量検出手段Ｓ１、近接変動量検出手段Ｓ２間距離とサンプリング時間でのベルト移動距離とが等しくなるようサンプリング時間を設定しておくことで、時刻ｔ０からサンプリング時間経過後の時刻ｔ１に、変動量検出手段Ｓ１が検出するベルト７のポイントはｙとなる。そして、そのポイントｙにおける基準位置からの変位をｄ２とする。また、時刻ｔ１に、近接変動量検出手段Ｓ２が検出するベルト７のポイントはｚとなり、その基準位置からの変位をｄ３とする。
【０１４２】
変動量検出手段Ｓ１の位置における、時刻ｔ０からｔ１におけるベルト変位Δｄは、以下の式（１０）のようになる。
【０１４３】
（数１０）
Δｄ＝ｄ０−ｄ２        （１０）
また、ベルト端面の凸凹による、ポイントｘ、ｙ間の変位ΔＢｅｌｔは、以下の式（１１）のようになる。
【０１４４】
（数１１）
ΔＢｅｌｔ＝ｄ０−ｄ１        （１１）
次に、ベルト端面の凸凹を考慮した、変動量検出手段Ｓ１の位置におけるベルト変位ΔＢＤを以下の式（１２）を用いて求める。そして、記憶部は、式（１２）によって求められたベルト変位ΔＢＤを記憶する。
【０１４５】
（数１２）
ΔＢＤ＝Δｄ−ΔＢｅｌｔ＝（ｄ０−ｄ２）−（ｄ０−ｄ１）＝ｄ１−ｄ２  （１２）
つまり、２つの変動量検出手段を近接して設け、これらの変動量検出手段でのベルト変位（差分）を求めると、エッジの凸凹の影響が無くなる。なお、ベルト移動に伴う変動が無い場合、ΔＢＤ＝０となる。
【０１４６】
これにより、ベルト端面位置からベルト変動量を求める場合は、ベルト端面形状をキャンセルするため、ベルト端面の形状精度に影響されることなく、ベルト変動量を正確に求めることができる。
【０１４７】
また、ベルト上のパターン又はマーカからベルト変動量を求める場合は、パターン又はマーカの形成誤差をキャンセルするため、ベルト上のパターン又はマーカの形成精度に影響されることなく、ベルト変動量を正確に求めることができる。
【０１４８】
さらに、変動量検出手段Ｓ１に近接した近接変動量検出手段Ｓ２を設けることで、ベルト速度ムラによる、サンプリングポイントのずれを防ぐことができる。
【０１４９】
また、本実施形態に係る画像形成装置は、２ステーション構成となっていてもよい。図１４は、２ステーションの画像形成装置を示す概略構成図である。ここで、図１と同様の構成要素には同一の符号を付する。
【０１５０】
図１４に示すように、画像形成装置は、中間転写体７の下方に２つの画像形成手段（ステーション１、ステーション２）を有している。各々の画像形成手段は、１つの画像担持体１と、１つの書込み手段３と、この画像担持体１上に書込み手段３により形成される静電潜像を現像する２つの現像手段４と、現像手段４を択一的に選択して駆動する図示しない選択手段とから構成され、複数の画像形成手段によって形成される画像を中間転写体７上で重ね合わせることで複数色の画像を生成するようになっている。なお、画像形成手段はそれぞれ、現像手段４を３つ以上有するようになっていてもよい。
【０１５１】
また、図１４に示すように、変動量検出手段８ａ、８ｂが、各画像形成手段（ステーション１、ステーション２）に対応して設けられている。これらの変動量検出手段８ａ、８ｂは、画像担持体１上の画像が転写されるベルト転写位置近傍で、かつ、ベルト転写位置に対してベルト移動方向上流側に配置されている。
【０１５２】
ステーション１に対応した変動量検出手段８ａ、８ｂは、ベルト変動量をサンプリング位置Ａで検出し、ステーション２に対応した変動量検出手段８ａ、８ｂは、ベルト変動量をサンプリング位置Ｂで検出する。
【０１５３】
サンプリング位置Ａで検出されたベルト変動量データは記憶部に記憶され、記憶されたベルト変動量データに基づいて、制御部は、ステーション１の主走査の書込み開始位置を補正する。また、サンプリング位置Ｂで検出されたベルト変動量データは記憶部に記憶され、記憶されたベルト変動量データに基づいて、制御部は、ステーション２の主走査の書込み開始位置を補正する。
【０１５４】
このような構成にすることにより、より正確に画像のずれを抑えることができる。また、小型で高速な画像形成装置を構築することができる。
【図面の簡単な説明】
【０１５５】
【図１】本発明の第１の実施形態に係る画像形成装置を示す基本構成図である。
【図２】本発明の第１の実施形態に係るある一定周期でベルト２周分のベルト変動量を求めたグラフである。
【図３】本発明の第１の実施形態に係るサンプリング信号の生成タイミングを示すタイミングチャートである。
【図４】（ａ）は、本発明の第１の実施形態に係るサンプリング位置ｍ及びｎにおけるベルト変動を示す図であり、（ｂ）は、書込み開始タイミングを示す図である。
【図５】本発明の第１の実施形態に係る同期信号及び画素クロックの生成タイミングを示すタイミングチャートである。
【図６】本発明の第１の実施形態に係る隣接したサンプリングポイントの間に位置する任意のベルト位置のベルト変動量の算出を説明するための図である。
【図７】本発明の第１の実施形態に係る２ステーションの画像形成装置を示す概略構成図である。
【図８】本発明の第２の実施形態に係るある一定周期でベルト２周分のベルト変動量を求めたグラフである。
【図９】図８に示すベルト変動量のベルト１週分を拡大したグラフである。
【図１０】本発明の第２の実施形態に係る隣接したサンプリングポイントの間に位置する任意のベルト位置のベルト変動量の算出を説明するための図である。
【図１１】本発明の第２の実施形態に係る同期信号及び画素クロックの生成タイミングを示すタイミングチャートである。
【図１２】図９に示すｃ部を拡大した図である。
【図１３】本発明の第２の実施形態に係る２つの変動量検出手段を用いたベルト変動量の算出を説明するための図である。
【図１４】本発明の第２の実施形態に係る２ステーションの画像形成装置を示す概略構成図である。
【符号の説明】
【０１５６】
１  画像担持体
２  帯電手段
３  書込み手段
４  現像手段
５  転写手段
６  クリーニング手段
７  中間転写体（ベルト）
８、８ａ、８ｂ  変動量検出手段
【図１】
0004749954.tif 000002
【図２】
0004749954.tif 000003
【図８】
0004749954.tif 000004
【図９】
0004749954.tif 000005
【図１１】
0004749954.tif 000006
【図１２】
0004749954.tif 000007
【図３】
0004749954.tif 000008
【図４】
0004749954.tif 000009
【図５】
0004749954.tif 000010
【図６】
0004749954.tif 000011
【図７】
0004749954.tif 000012
【図１０】
0004749954.tif 000013
【図１３】
0004749954.tif 000014
【図１４】
0004749954.tif 000015